(57)【要約】【課題】複数個の容器の蓋を上方に順に積み重ねした際に荷崩れが発生するか否かの状態、即ちスタック性を安定させ、積み重ねた容器の蓋を上から順に１個づつ確実に取り出すことができる容器の蓋を提供する。【解決手段】天板部５と筒状の側壁部４とを有する合成樹脂材でできた容器の蓋Ａであって、前記側壁部４の中間部分に内側に突出する厚肉部２と前記厚肉部２と天板部５との間に凹所６を形成し、前記厚肉部２には前記天板部５と反対位置方向に突出した複数のスタックリブ部１を設けて、前記スタックリブ部１が設置されていない箇所の厚肉部２と前記天板部５の間に隙間を発生させて積み重なり合う容器の蓋Ａ同士の密着を防ぐようにした容器の蓋Ａである。【選択図】図１
2007276875.tif 000002
【特許請求の範囲】
【請求項１】
円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により薄肉で形成し、前記側壁部の中間部分に内側に突出する厚肉部を設けて前記厚肉部と天板部との間に凹所を形成するとともに、前記厚肉部には前記天板部と反対位置方向に凸形状からなる棚状の突出した複数のスタックリブ部を設けて、容器の蓋を重ね合わせたとき、前記スタックリブ部の下端面が前記天板部のコーナーの終端より内側の天板部に当接し、前記スタックリブ部が設置されていない箇所の前記厚肉部と前記天板部の間に隙間を設けたことを特徴とする容器の蓋。
【請求項２】
容器の蓋は射出成形法により０．７ｍｍ以下の肉厚で形成し、スタックリブ部は厚肉部との接面の勾配角度が２５度から４５度以下であり、かつ、前記スタックリブ部は垂直方向の高さが０．３ｍｍから０．８ｍｍの高さを形成したことを特徴とする請求項１に記載の容器の蓋。
【請求項３】
複数の容器の蓋同士が上方に積み重ねられたときに、容器の蓋の側壁部と、下方の容器の蓋の側壁部との間に０．１ｍｍから０．３ｍｍの第二隙間が形成されたことを特徴とする請求項１または請求項２に記載の容器の蓋。
【発明の詳細な説明】
【技術分野】
【０００１】
本発明は、主にヨーグルトやアイスクリームなどの被注出物が入った容器の蓋に関するものである。
【背景技術】
【０００２】
着脱操作が容易で装着性のすぐれた容器の蓋として、特許文献１に記載の嵌合筒部の内径面に容器口部外周面部の下縁と係止する周方向の横突部と、前記容器口部外周面部と当接縦リブとを厚みのある台状突部の上に形成した３個以上からなる係止部を設けた、ジャムやマーマレード等の食品類を入れた容器の密封シールを保護するためのオーバーキャップが提案されている。
【０００３】
また、容器本体に嵌合操作し易く係合冠着せしめ得ると共に、係合冠着したら脱離し難く冠着を保持し得るオーバーキャップとして、特許文献２に記載のフランジ係合部の開口部側に下方の周壁の周方向に沿って、内側に膨出する周方向長軸の楕円形の膨出突部が複数個設けられ、その頂部近傍に貫通孔が設置され貫通孔の内側出口付近に突片が形成されているプラスチック薄板材からなるシート成形法により形成したオーバーキャップが提案されている。
【０００４】
更に、複数の蓋を順に積層する場合には、上部の巾が下部の巾よりも小さい中空立上がり縁を利用することによって多数の蓋を上下に順に嵌合させながら、安定した状態で積層し、下の蓋の中空立上がり縁の上縁面の端縁と段部とが、上の蓋の中空立上がり縁のリング凹条及び天井板の周辺縁に当接されるので、上下の蓋が不必要に深く嵌合されて、抜けなくなることを防止する特許文献３に記載の包装用容器の蓋が提案されている。
【０００５】
また、脱着が容易で、かつ容器のフランジ部の微妙な口径差異にも対応して確実に嵌合できる容器蓋として、特許文献４に記載の容器フランジ部の外周部に対向するように嵌め合わされる蓋嵌合部の壁面を、上方視多角形状の多角壁とする容器蓋が提案されている。
【０００６】
更に、複数の蓋体を積層する際に、段差部が蓋体周縁部の上面に嵌合することで両者が必要以上深く嵌合することを防止する容器の蓋体として、特許文献５に記載の容器本体の開口縁に外嵌する立設縁の先端近傍に所定の幅で外側に広がった段差部と、複数の蓋体を重ねた際に一の前記蓋体の段差部が他の前記蓋体の天板の輪郭部に嵌合するインスタント食品用容器の蓋体が提案されている。
【０００７】
また、アイスクリームのカートンのキャップとして、特許文献６に記載の垂下するスカート部分を有し単一の円形の形状の樹脂蓋を備え、前記蓋の上面は、複数の同様な蓋が堆積される関係での保持を向上すると共に、蓋の剛性を与える如く、その外側面で内方へ傾斜し上方かつ内方へ延びる同心状ビードを有したキャップやアイスクリームのカートン等のキャップと類似形状をもつ特許文献７に記載のオーバーキャップが提案されている。
【０００８】
更に、引用文献８に記載の容器の蓋として、引用文献８の第５欄第３０行〜第３６行に、ガスケット（ｇａｓｋｅｔ）上に、半径方向内側に突出するノブ（ｋｎｏｂ  ３３）が形成され、ノブ（３３）は密閉機におけるキャップ貯蔵やキャップ供給の際に好ましからざるキャップ（ｃａｐ  ３１）の積み重ねを防止することが記載されており、また、引用文献８の第５欄第３８行〜第４４行には、ノブ（３３）が容器の溝（１２）内に位置して固定作用をなすとともに、キャップの取り外しの際にラグ（ｌｕｇ  ３０）と同様に取り外させることもあることが記載されている。
【０００９】
【特許文献１】特開平０９−１８８３５３号公報
【特許文献２】特開２００３−３２１０５３号公報
【特許文献３】特開平１０−１２０００５号公報
【特許文献４】特開２００２−３３７９００号公報
【特許文献５】特開２００５−２８０７３３号公報
【特許文献６】特開昭５７−１７５５５６号公報
【特許文献７】ＵＳ６４７８１８３号公報
【特許文献８】ＵＳ３７４１４２３号公報
【発明の開示】
【発明が解決しようとする課題】
【００１０】
一般的に容器の蓋などを保管する場合、容器の蓋を上方に積み重ねて積層させていくことで保管場所の省スペース化が図れ、保管ならびに輸送などのコスト低減を行うことができるが、特許文献１に記載のオーバーキャップでは、容器外周面部の下縁と係止する周方向の横突部がオーバーキャップの側面内側の下端側に設置されていることと、各横突部と相対峙する箇所の側面内側の下端側に突状部も設置されているため、複数の蓋を上方に順に重ねた場合、前記横突部及び前記突状部の出っ張りが邪魔となり、容器の蓋が上方に順に積み重なるにつれて不安定な状態となり、すぐに荷崩れを起こしてしまう。また、ヨーグルトやアイスクリームなどの被注出物が充填された容器本体へバキューム装置などを使用して自動的に容器の蓋を容器本体の開口部分へキャッピングしていく場合には、積み重ねられた容器の蓋を上方から１個つづバキューム装置などで吸着して搬送しながら供給していくが、積み重ねられた状態が不安定であるためにうまく吸着できず安定的に供給していくのが困難である。
【００１１】
更に、特許文献２に記載の容器用オーバーキャップでは、周壁に沿って内側に膨出する膨出突部が複数個設けられていることで、オーバーキャップを複数個、上方に積み重ねた場合、前記膨出突部はスタック性を良好にすることを目的として形成されたものではなく、オーバーキャップを冠着した容器の搬送や陳列に当たって生じる外的衝撃に遭遇しても冠着保持できる形状として形成されたものであるので、積み重ねに際する安定性には劣るものである。尚、ここでいうスタック性とは、オーバーキャップを上方に順次積み重ねていったときに崩れることなく安定的な積み重ねができることを言う。
【００１２】
また、特許文献３に記載の包装用容器の蓋では、上下の蓋が不必要に深く嵌合されて、抜けなくなることを防止することを作用効果としているとはいえ、上下の蓋が密着する可能性が残されており、上下の蓋が抜けなくなる。
【００１３】
更に、特許文献４に記載の容器蓋では、容器蓋の嵌合部に形成された逆テーパー部が、嵌合部の内側領域に対して、下方側の容器蓋の嵌合部が嵌入し、容器蓋同士が深くスタックしてしまうのを防止するようにしているため、スカート部の位置を浅めに設置しており、容器蓋同士が積み重ねられた状態で輸送する場合、輸送による振動に対して荷崩れが発生しやすく積み重ねに際する安定性には劣る。また、特許文献５に記載の容器の蓋体についても、特許文献４に記載の容器蓋と同様に段差部の位置が浅めに設置してあるため、輸送による振動に対して荷崩れが発生しやすく積み重ねに際する安定性には劣る。尚、ここでいうスタックとは、容器蓋を上方に順次積み重ねていったときに容器蓋と上方の容器蓋が積み重なる容器蓋の重みにより嵌着してしまい、１枚つづ確実に取り出しができないことを言う。
【００１４】
更に、特許文献６及び特許文献７に記載のオーバーキャップでは、オーバーキャップ同士が積み重なる位置は、円板部分の円周に設置されたスカート部の上部に上方のオーバーキャップのスカート部の下部がのりあがるため、輸送による振動に対して荷崩れが発生しやすく積み重ねに際する安定性には劣る。
【００１５】
また、引用文献８記載の容器の蓋では、半径方向内側に突出するノブ(ｋｎｏｂ  ３３)が形成されており、容器の蓋同士が重なり合ったときに、上位の前記ノブ(ｋｎｏｂ  ３３)が、下位の蓋体のカバー（ｃｏｖｅｒ  ７）外周からスカート（ｓｋｉｒｔ  ６）部分に至るコーナー付近で前記ノブ(ｋｎｏｂ  ３３)の下端は円周状の線で接するため、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない構造である。仮にノブ(ｋｎｏｂ  ３３)を形成する位置をラグ（ｌｕｇ  ３０）が形成された位置に設置しても、ノブ(ｋｎｏｂ  ３３)が接する位置は、同じように円周状の線で接することには変わりなく、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない。また、ノブ(ｋｎｏｂ  ３３)は円周状の線で接しているので、積み重ねによるバランスはとりづらく安定性には劣り、容器の蓋を順次積み重ねていくと傾いて崩れるので、十数枚〜百枚単位での積み重ねをすることは困難である。
【００１６】
本発明の目的は、上記課題を解決し、複数個の容器の蓋を上方に順に積み重ねした際に荷崩れが発生するか否かの状態、即ちスタック性を安定させ、スタックした容器の蓋が密着するのを防止し上方に順に１個づつ確実に取り出すことができる容器の蓋を提供することである。
【課題を解決するための手段】
【００１７】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により薄肉で形成し、前記側壁部の中間部分に内側に突出する厚肉部を設けて前記厚肉部と天板部との間に凹所を形成するとともに、前記厚肉部には前記天板部と反対位置方向に凸形状からなる棚状の突出した複数のスタックリブ部を設けて、容器の蓋を重ね合わせたとき、前記スタックリブ部の水平な下端面が前記天板部のコーナーの終端より内側の天板部の平面部に当接し、前記スタックリブ部が設置されていない箇所の前記厚肉部と前記天板部の間に隙間を設けた容器の蓋である。
【００１８】
本発明の容器の蓋は、射出成形法により０．７ｍｍ以下の肉厚で形成し、スタックリブ部は厚肉部との接面の勾配角度が２５度から４５度以下であり、かつ、前記スタックリブ部は垂直方向の高さが０．３ｍｍから０．８ｍｍの高さを形成した容器の蓋である。
【００１９】
本発明は、複数の容器の蓋同士が上方に積み重ねられたときに、容器の蓋の側壁部と、下方の容器の蓋の側壁部との間に０．１ｍｍから０．３ｍｍの第二隙間が形成された容器の蓋である。
【発明の効果】
【００２０】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により薄肉で形成し、前記側壁部の中間部分に内側に突出する厚肉部を設けて前記厚肉部と天板部との間に凹所を形成するとともに、前記厚肉部には前記天板部と反対位置方向に凸形状からなる棚状の突出した複数のスタックリブ部を設けて、容器の蓋を重ね合わせたとき、前記スタックリブ部の水平な下端面が前記天板部のコーナーの終端より内側の天板部の平面部に当接し、前記スタックリブ部が設置されていない箇所の前記厚肉部と前記天板部の間に隙間を設けた容器の蓋であるので、容器の蓋同士の積み重ねの安定性が非常に高く、前記厚肉部と前記天板部の間に隙間が一定になる。よって、この隙間から空気の出入りがなされ、積み重なり合う容器の蓋同士の減圧や静電気の滞留を防止することができる。従って、複数の容器の蓋を上方に順に積み重ねした場合のスタック性を安定させ、スタック後の容器の蓋を上から順に１個づつ確実に取り出すことができる容器の蓋である。尚、本発明である容器の蓋のスタック性の意味は、容器の蓋を上方に順次積み重ねていったときに崩れることなく数十枚から百枚単位で安定的に上方へ積み重ねができ、かつ、容器の蓋を１枚つづ確実に取り出しができることである。
【００２１】
また、本発明の容器の蓋は、射出成形法により０．７ｍｍ以下の肉厚寸法で形成し、スタックリブ部は厚肉部との接面の勾配角度が２５度から４５度以下であり、かつ、前記スタックリブ部は垂直方向の高さが０．３ｍｍから０．８ｍｍの高さを形成した容器の蓋であるので、０．７ｍｍ以下の肉厚寸法にすることで真空成形法に近い肉厚寸法で真空成形法より外観形状にバリエーションを持たせた高級感のある形状を形成することができる。更に、肉厚寸法が薄肉になれば単量を少なくすることができるので原料コストを削減することができる上、前記勾配角度が２５度から４５度以下であり、前記スタックリブ部は垂直方向の高さが０．３ｍｍから０．８ｍｍの高さを形成することで、本発明である容器の蓋を容器の開口部へ装着したときに前記スタックリブ部は容器本体嵌合部へのガイドの役目を果たし、前記容器の蓋を容器の開口部へ嵌め込みしやすい容器の蓋である。また、容器の蓋のスタックリブ部の水平な下端面が天板部のコーナーの終端より内側の天板部の水平部に当接できる形状になるので、容器の蓋同士の積み重ねの安定性が非常に高く、数十枚から１００枚単位での積み重ねができる容器の蓋である。
【００２２】
更に、本発明の容器の蓋は、複数の容器の蓋同士が上方に積み重ねられたときに、容器の蓋の側壁部と、下方の容器の蓋の側壁部との間に０．１ｍｍから０．３ｍｍの第二隙間が形成された容器の蓋であるので、薄肉形状により柔軟性がある容器の蓋を積み重ねて運搬する場合に、隣り合う容器の蓋同士が衝突しあっても、容器の蓋同士の側壁部の重なり合うところは０．１ｍｍから０．３ｍｍのスペースしかあかないため２重の壁が形成されることになるので、スタック時の剛性が大きくなり外部からの衝撃に強く変形などが発生しにくい容器の蓋である。また、前記スタックリブ部の垂直方向の高さが０．３ｍｍから０．８ｍｍの高さを形成することで、前記スタックリブ部が設置されていない箇所の前記厚肉部と前記天板部の間に隙間を設けて、容器の蓋同士の側壁部の重なり合うところが０．１ｍｍから０．３ｍｍの隙間を設けることで、積み重なり合う容器の蓋Ａ同士の減圧や静電気の滞留を防ぎ、上から順に１個づつ確実に容器の蓋Ａを取り出すことができる。
【発明を実施するための最良の形態】
【００２３】
図１乃至図５において、本発明の容器の蓋Ａは射出成形法により０．７ｍｍ以下の肉厚寸法aによる薄肉形状にて形成し、前記容器の蓋Ａは円筒状で、ポリプロピレンやポリエチレンなどの合成樹脂材でできており、円筒状の容器本体Ｂの開口部分に設置するものである。前記容器の蓋Ａの上面には円板状の天板部５と、前記天板部５の外周から下端へ延出し、前記天板部５の外径Ｐよりも大きな内径Ｑをもつ円筒状の側壁部４とを有する。前記側壁部の内面３の中間部分全周に内側に突出したＶ形状などからなる厚肉部２と前記厚肉部２と天板部５との間に凹所６を形成することで、容器本体Ｂの開口部分に容器の蓋Ａを設置した場合、容器本体嵌合部Ｂ１は前記厚肉部２を乗り越えて前記凹所６と嵌合される。
【００２４】
前記厚肉部２には前記天板部５と反対位置方向に凸形状からなる棚状の突出したスタックリブ部１を８個から１２個以上設けて、複数の容器の蓋Ａが上方に順に積み重ねられた場合、前記スタックリブ部１の水平な下端面が前記天板部５のコーナーの終端より内側の天板部５の平面部に当接するので、容器の蓋Ａ同士の積み重ねの安定性が非常に高く、数十枚から１００枚単位での積み重ねにも効果を発揮するものである。
【００２５】
更に、容器の蓋Ａ同士が積み重ねられた場合に、例えば、容器の蓋Ａにスタックリブ部１を設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８個から１２個以上のスタックリブ部１を均一に設置し、前記スタックリブ部１が設置されていない箇所の厚肉部２と前記天板部５の間に隙間が発生するので、前記隙間から空気の出入りがなされ、積み重なり合う容器の蓋Ａ同士の減圧や静電気の滞留を防ぎ、上から順に１個づつ確実に容器の蓋Ａを取り出すことができる。
【００２６】
また、本発明の容器の蓋Ａは薄肉形状であるため材料代のコスト低減を行うことができるが、図１及び図３に示すとおり薄肉形状であっても、前記厚肉部２は前記壁面部の内面３の全周を補強する役目を果たし、更に、前記スタックリブ部１は前記厚肉部２を補強する役目を果たしているので、成形後の冷却で発生するそりや歪みなどの変形や、着脱の繰り返しによるそりや歪みなどの変形が起こらない容器の蓋Ａを提供することができる。
【００２７】
次に、本発明の容器の蓋Ａを嵌合相手である容器本体Ｂへ嵌合させた状態を図４に示す。例えば可撓性のある紙材やポリプロピレン、ポリエチレンなどの合成樹脂材を用いて前記容器本体Ｂを成形することで、ポリプロピレンやポリエチレンなどの合成樹脂材で成形した本発明の容器の蓋Ａの伸縮性と、前記容器本体Ｂとの伸縮性並びに可撓性の作用が併用されことで、容器の蓋Ａの着脱が更に自在となる。また、被注出物の漏れ防止や品質保持をさせるためにアルミシート材や樹脂シート材などの密封シールを容器本体Ｂの開口部分に施した場合でも、容器の蓋Ａの着脱は自在に行うことができる。更に、前記天板部５の形状は図２および図３に示すように中央に凹んだ平面部があるので、前記天板部５の中央部および周辺の全面に模様や写真などが加飾されたラベルをインモールド成形などで貼着させることができるので、意匠性や装飾性に優れた容器の蓋Ａを提供することができる。
【００２８】
図５においては、本発明の容器の蓋Ａ同士を積み重ねていくスタックした状態を示す。複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる上、保管スペースの省スペース化が図れ、保管ならびに輸送などのコスト低減できる。また、積み重ねてスタックすることによる荷崩れなどで発生する商品破損などの不良も発生しない。
【００２９】
図６は、スタックリブ部１ａの異なる実施形態例を示す。図６に示すとおり、容器の蓋Ａの肉厚寸法ａが０．７ｍｍ以下の薄肉形状を有する容器の蓋Ａであって、前記スタックリブ部１ａは厚肉部２との接面の勾配角度ｂが２５度から４５度以下とし、かつ、前記スタックリブ部１ａは垂直方向の高さｃが０．３ｍｍから０．８ｍｍの高さを形成したスタックリブ部１ａを形成することで、０．７ｍｍ以下の肉厚寸法ａにすることで真空成形法に近い肉厚寸法ａで真空成形法より外観形状にバリエーションを持たせた高級感のある形状を射出成形法により形成することができる。更に、肉厚寸法ａが薄肉になれば単量を少なくすることができるので原料コストを削減することができる上、前記勾配角度ｂが２５度から４５度以下であり、前記スタックリブ部１ａは垂直方向の高さｃが０．３ｍｍから０．８ｍｍの高さを形成することで、本発明である容器の蓋Ａを容器Ｂの開口部へ装着したときに前記スタックリブ部１ａは容器本体嵌合部Ｂ１へのガイドの役目を果たし、前記容器の蓋Ａを容器Ｂの開口部へ嵌め込みしやすい容器の蓋Ａである。また、前記スタックリブ部１ａの水平な下端面が天板部５のコーナーの終端より内側の天板部５の水平部に当接できる形状になるので、容器の蓋Ａ同士の積み重ねの安定性が非常に高く、数十枚から１００枚単位での積み重ねができる容器の蓋Ａである。ここでいう接面とは、スタックリブ部１ａの水平な下端面と垂線を結ぶスタックリブ部頂点のＲ面ｚと厚肉部頂点のＲ面ｙの両方に接する面のことをいい、また、勾配角度ｂとは、前記接面と前記厚肉部頂点のＲ面ｙを起点とした垂線とを交差する角度のことをいう。
【００３０】
図７においては、本発明の容器の蓋Ａ同士を積み重ねていくスタックした状態をスタックリブ部１ａの異なる実施形態を例とした場合で示す。容器の蓋Ａの上に同方向の容器の蓋Ａを積み重ねていくと、前記容器の蓋Ａの天板部５の周縁付近に上方に設置された容器の蓋Ａのスタックリブ部１ａの水平な下端面が前記天板部５のコーナーの終端より内側の天板部５の水平部に当接するので、容器の蓋Ａ同士の積み重ねの安定性が非常に高く、数十枚から１００枚単位での積み重ねにも効果を発揮するものである。また、スタックリブ部１ａの設置数については、前記天板部５と反対位置方向に凸形状からなる棚状の突出したスタックリブ部１ａを８個から１２個以上に均一に設けることで、より積み重ねを安定させることができる。
【００３１】
更に、複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる。
【００３２】
また、仮に積み重ねによるセンター位置がづれたとしても、下方の容器の蓋Ａの側壁部４との間に０．１ｍｍから０．３ｍｍの出来るだけ隙間を持たせない第二隙間ｄを形成させることで、設置されているスタックリブ部１ａのほとんどが、前記スタックリブ部１ａの水平な下端面が前記天板部５のコーナーの終端より内側の天板部５の水平部に当接するので、容器の蓋Ａ同士の積み重ねの安定性が非常に高く、数十枚から１００枚単位での積み重ねにも効果を発揮し、保管スペースの省スペース化が図れ、保管ならびに輸送などのコスト低減できる。更に、積み重ねてスタックすることによる荷崩れなどで発生する商品破損などの不良も発生しない。
【００３３】
また、容器の蓋Ａ同士が積み重ねられた場合に、例えば、容器の蓋Ａにスタックリブ部１ａを設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８から１２個以上のスタックリブ部１ａを均一に設置し、前記スタックリブ部１ａの垂直方向の高さｃが０．３ｍｍから０．８ｍｍの高さを形成することで、前記スタックリブ部１ａが設置されていない箇所の前記厚肉部２と前記天板部５の間に隙間を設けて、容器の蓋Ａ同士の側壁部４の重なり合うところが０．１ｍｍから０．３ｍｍの隙間を設けることで、前記隙間から空気の出入りがなされ、積み重なり合う容器の蓋Ａ同士の減圧や静電気の滞留を防ぎ、上から順に１個づつ確実に容器の蓋Ａを取り出すことができる。
【図面の簡単な説明】
【００３４】
【図１】本発明の実施形態である容器の蓋を示す斜視図である。
【図２】同実施形態の平面図である。
【図３】同実施形態の断面図である。
【図４】同実施形態の容器の蓋を容器本体に嵌合させた断面図である。
【図５】同実施形態の容器の蓋を積み重ねてスタックする断面図である。
【図６】本発明の異なる実施形態を示す斜視図である。
【図７】図６の容器の蓋を積み重ねてスタックする断面図である。
【符号の説明】
【００３５】
１        スタックリブ部
１ａ      スタックリブ部
２        厚肉部
３        側壁部の内面
４        側壁部
５        天板部      
６        凹所
Ａ        容器の蓋
Ｂ        容器本体
Ｂ１      容器本体嵌合部
Ｐ        外径
Ｑ        内径
ａ        肉厚寸法
ｂ        勾配角度
ｃ        垂直方向の高さ
ｄ        第二隙間
ｙ        厚肉部頂点のＲ面
ｚ        スタックリブ部頂点のＲ面
【図１】
2007276875.tif 000003
【図２】
2007276875.tif 000004
【図３】
2007276875.tif 000005
【図４】
2007276875.tif 000006
【図５】
2007276875.tif 000007
【図６】
2007276875.tif 000008
【図７】
2007276875.tif 000009
【手続補正書】
【提出日】平成18年11月22日(2006.11.22)
【手続補正１】
【補正対象書類名】明細書
【補正対象項目名】００３４
【補正方法】変更
【補正の内容】
【００３４】
【図１】本発明の実施形態である容器の蓋を示す斜視図である。
【図２】同実施形態の平面図である。
【図３】同実施形態の断面図である。
【図４】同実施形態の容器の蓋を容器本体に嵌合させた断面図である。
【図５】同実施形態の容器の蓋を積み重ねてスタックする断面図である。
【図６】本発明の異なる実施形態を示すスタックリブ部周辺の断面図である。
【図７】図６の容器の蓋を積み重ねてスタックする断面図である。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端面と垂線を結ぶスタックリブ部頂点のＲ面と厚肉部頂点のＲ面の両方に接する面と、前記厚肉部頂点のＲ面を起点とした垂線とが交差する角度は２５度から４５度であり、かつ、前記スタックリブ部は垂直方向の高さが０．３ｍｍから０．８ｍｍであることを特徴とする容器の蓋。
【請求項２】
複数の容器の蓋同士を上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができることを特徴とする請求項１に記載の容器の蓋。
【請求項３】
複数の容器の蓋同士が上方に積み重ねられたときに、容器の蓋の側壁部と、下方の容器の蓋の側壁部との間に０．１ｍｍから０．３ｍｍの第二隙間ができることを特徴とする請求項１または請求項２に記載の容器の蓋。
【手続補正２】
【補正対象書類名】明細書
【補正対象項目名】全文
【補正方法】変更
【補正の内容】
【発明の詳細な説明】
【技術分野】
【０００１】
本発明は、主にヨーグルトやアイスクリームなどの被注出物が入った容器の蓋に関するものである。
【背景技術】
【０００２】
着脱操作が容易で装着性のすぐれた容器の蓋として、特許文献１に記載の嵌合筒部の内径面に容器口部外周面部の下縁と係止する周方向の横突部と、前記容器口部外周面部と当接縦リブとを厚みのある台状突部の上に形成した３個以上からなる係止部を設けた、ジャムやマーマレード等の食品類を入れた容器の密封シールを保護するためのオーバーキャップが提案されている。
【０００３】
また、容器本体に嵌合操作し易く係合冠着せしめ得ると共に、係合冠着したら脱離し難く冠着を保持し得るオーバーキャップとして、特許文献２に記載のフランジ係合部の開口部側に下方の周壁の周方向に沿って、内側に膨出する周方向長軸の楕円形の膨出突部が複数個設けられ、その頂部近傍に貫通孔が設置され貫通孔の内側出口付近に突片が形成されているプラスチック薄板材からなるシート成形法により形成したオーバーキャップが提案されている。
【０００４】
更に、複数の蓋を順に積層する場合には、上部の巾が下部の巾よりも小さい中空立上がり縁を利用することによって多数の蓋を上下に順に嵌合させながら、安定した状態で積層し、下の蓋の中空立上がり縁の上縁面の端縁と段部とが、上の蓋の中空立上がり縁のリング凹条及び天井板の周辺縁に当接されるので、上下の蓋が不必要に深く嵌合されて、抜けなくなることを防止する特許文献３に記載の包装用容器の蓋が提案されている。
【０００５】
また、脱着が容易で、かつ容器のフランジ部の微妙な口径差異にも対応して確実に嵌合できる容器蓋として、特許文献４に記載の容器フランジ部の外周部に対向するように嵌め合わされる蓋嵌合部の壁面を、上方視多角形状の多角壁とする容器蓋が提案されている。
【０００６】
更に、複数の蓋体を積層する際に、段差部が蓋体周縁部の上面に嵌合することで両者が必要以上深く嵌合することを防止する容器の蓋体として、特許文献５に記載の容器本体の開口縁に外嵌する立設縁の先端近傍に所定の幅で外側に広がった段差部と、複数の蓋体を重ねた際に一の前記蓋体の段差部が他の前記蓋体の天板の輪郭部に嵌合するインスタント食品用容器の蓋体が提案されている。
【０００７】
また、アイスクリームのカートンのキャップとして、特許文献６に記載の垂下するスカート部分を有し単一の円形の形状の樹脂蓋を備え、前記蓋の上面は、複数の同様な蓋が堆積される関係での保持を向上すると共に、蓋の剛性を与える如く、その外側面で内方へ傾斜し上方かつ内方へ延びる同心状ビードを有したキャップやアイスクリームのカートン等のキャップと類似形状をもつ特許文献７に記載のオーバーキャップが提案されている。
【０００８】
更に、引用文献８に記載の容器の蓋として、引用文献８の第５欄第３０行〜第３６行に、ガスケット（ｇａｓｋｅｔ）上に、半径方向内側に突出するノブ（ｋｎｏｂ  ３３）が形成され、ノブ（３３）は密閉機におけるキャップ貯蔵やキャップ供給の際に好ましからざるキャップ（ｃａｐ  ３１）の積み重ねを防止することが記載されており、また、引用文献８の第５欄第３８行〜第４４行には、ノブ（３３）が容器の溝（１２）内に位置して固定作用をなすとともに、キャップの取り外しの際にラグ（ｌｕｇ  ３０）と同様に取り外させることもあることが記載されている。
【０００９】
【特許文献１】特開平０９−１８８３５３号公報
【特許文献２】特開２００３−３２１０５３号公報
【特許文献３】特開平１０−１２０００５号公報
【特許文献４】特開２００２−３３７９００号公報
【特許文献５】特開２００５−２８０７３３号公報
【特許文献６】特開昭５７−１７５５５６号公報
【特許文献７】ＵＳ６４７８１８３号公報
【特許文献８】ＵＳ３７４１４２３号公報
【発明の開示】
【発明が解決しようとする課題】
【００１０】
一般的に容器の蓋などを保管する場合、容器の蓋を上方に積み重ねて積層させていくことで保管場所の省スペース化が図れ、保管ならびに輸送などのコスト低減を行うことができるが、特許文献１に記載のオーバーキャップでは、容器外周面部の下縁と係止する周方向の横突部がオーバーキャップの側面内側の下端側に設置されていることと、各横突部と相対峙する箇所の側面内側の下端側に突状部も設置されているため、複数の蓋を上方に順に重ねた場合、前記横突部及び前記突状部の出っ張りが邪魔となり、容器の蓋が上方に順に積み重なるにつれて不安定な状態となり、すぐに荷崩れを起こしてしまう。また、ヨーグルトやアイスクリームなどの被注出物が充填された容器本体へバキューム装置などを使用して自動的に容器の蓋を容器本体の開口部分へキャッピングしていく場合には、積み重ねられた容器の蓋を上方から１個つづバキューム装置などで吸着して搬送しながら供給していくが、積み重ねられた状態が不安定であるためにうまく吸着できず安定的に供給していくのが困難である。
【００１１】
更に、特許文献２に記載の容器用オーバーキャップでは、周壁に沿って内側に膨出する膨出突部が複数個設けられていることで、オーバーキャップを複数個、上方に積み重ねた場合、前記膨出突部はスタック性を良好にすることを目的として形成されたものではなく、オーバーキャップを冠着した容器の搬送や陳列に当たって生じる外的衝撃に遭遇しても冠着保持できる形状として形成されたものであるので、積み重ねに際する安定性には劣るものである。尚、ここでいうスタック性とは、オーバーキャップを上方に順次積み重ねていったときに崩れることなく安定的な積み重ねができることを言う。
【００１２】
また、特許文献３に記載の包装用容器の蓋では、上下の蓋が不必要に深く嵌合されて、抜けなくなることを防止することを作用効果としているとはいえ、上下の蓋が密着する可能性が残されており、上下の蓋が抜けなくなる。
【００１３】
更に、特許文献４に記載の容器蓋では、容器蓋の嵌合部に形成された逆テーパー部が、嵌合部の内側領域に対して、下方側の容器蓋の嵌合部が嵌入し、容器蓋同士が深くスタックしてしまうのを防止するようにしているため、スカート部の位置を浅めに設置しており、容器蓋同士が積み重ねられた状態で輸送する場合、輸送による振動に対して荷崩れが発生しやすく積み重ねに際する安定性には劣る。また、特許文献５に記載の容器の蓋体についても、特許文献４に記載の容器蓋と同様に段差部の位置が浅めに設置してあるため、輸送による振動に対して荷崩れが発生しやすく積み重ねに際する安定性には劣る。尚、ここでいうスタックとは、容器蓋を上方に順次積み重ねていったときに容器蓋と上方の容器蓋が積み重なる容器蓋の重みにより嵌着してしまい、１枚つづ確実に取り出しができないことを言う。
【００１４】
更に、特許文献６及び特許文献７に記載のオーバーキャップでは、オーバーキャップ同士が積み重なる位置は、円板部分の円周に設置されたスカート部の上部に上方のオーバーキャップのスカート部の下部がのりあがるため、輸送による振動に対して荷崩れが発生しやすく積み重ねに際する安定性には劣る。
【００１５】
また、引用文献８記載の容器の蓋では、半径方向内側に突出するノブ(ｋｎｏｂ  ３３)が形成されており、容器の蓋同士が重なり合ったときに、上位の前記ノブ(ｋｎｏｂ  ３３)が、下位の蓋体のカバー（ｃｏｖｅｒ  ７）外周からスカート（ｓｋｉｒｔ  ６）部分に至るコーナー付近で前記ノブ(ｋｎｏｂ  ３３)の下端は円周状の線で接するため、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない構造である。仮にノブ(ｋｎｏｂ  ３３)を形成する位置をラグ（ｌｕｇ  ３０）が形成された位置に設置しても、ノブ(ｋｎｏｂ  ３３)が接する位置は、同じように円周状の線で接することには変わりなく、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない。また、ノブ(ｋｎｏｂ  ３３)は円周状の線で接しているので、積み重ねによるバランスはとりづらく安定性には劣り、容器の蓋を順次積み重ねていくと傾いて崩れるので、十数枚〜百枚単位での積み重ねをすることは困難である。
【００１６】
本発明の目的は、上記課題を解決し、複数個の容器の蓋を上方に順に積み重ねした際に荷崩れが発生するか否かの状態、即ちスタック性を安定させ、スタックした容器の蓋が密着するのを防止し上方に順に１個づつ確実に取り出すことができる容器の蓋を提供すると共に、容器の開口部へ嵌め込みしやすい容器の蓋を提供することである。
【課題を解決するための手段】
【００１７】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端面と垂線を結ぶスタックリブ部頂点のＲ面と厚肉部頂点のＲ面の両方に接する面と、前記厚肉部頂点のＲ面を起点とした垂線とが交差する角度は２５度から４５度であり、かつ、前記スタックリブ部は垂直方向の高さが０．３ｍｍから０．８ｍｍである容器の蓋である。
【００１８】
本発明は、複数の容器の蓋同士を上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができる容器の蓋である。
【００１９】
本発明は、複数の容器の蓋同士が上方に積み重ねられたときに、容器の蓋の側壁部と、下方の容器の蓋の側壁部との間に０．１ｍｍから０．３ｍｍの第二隙間ができる容器の蓋である。
【発明の効果】
【００２０】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端面と垂線を結ぶスタックリブ部頂点のＲ面と厚肉部頂点のＲ面の両方に接する面と、前記厚肉部頂点のＲ面を起点とした垂線とが交差する角度は２５度から４５度であり、かつ、前記スタックリブ部は垂直方向の高さが０．３ｍｍから０．８ｍｍである容器の蓋であるので、０．７ｍｍ以下の肉厚寸法にすることで真空成形法に近い肉厚寸法で外観形状にバリエーションを持たせた高級感のある形状を射出成形法で形成することができる。また、肉厚寸法が薄肉になれば単量を少なくすることができるので原料コストを削減することができる上、スタックリブ部の水平な下端面と垂線を結ぶスタックリブ部頂点のＲ面と厚肉部頂点のＲ面の両方に接する面と、前記厚肉部頂点のＲ面を起点とした垂線とが交差する角度は２５度から４５度であり、前記スタックリブ部は垂直方向の高さが０．３ｍｍから０．８ｍｍであることで、本発明である容器の蓋を容器の開口部へ装着したときに前記スタックリブ部は容器本体嵌合部へのガイドの役目を果たし、前記容器の蓋を容器の開口部へ嵌め込みしやすい容器の蓋である。
【００２１】
また、本発明の容器の蓋は、複数の容器の蓋同士を上方に積み重ねられたときに、前記スタックリブ部の下端面が下方の容器の蓋の天板部の水平部に当接し、前記スタックリブ部が設置されていない箇所の前記厚肉部と下方の容器の蓋の前記天板部の間に隙間ができる容器の蓋であるので、容器の蓋のスタックリブ部の水平な下端面が天板部の水平部に当接できる形状になるので、容器の蓋同士の積み重ねの安定性が非常に高い容器の蓋である。更に、前記厚肉部と下方の容器の蓋の前記天板部の間に隙間が一定にできることで、この隙間から空気の出入りがなされ、積み重なり合う容器の蓋同士の減圧や静電気の滞留を防止することができるので、容器の蓋同士の密着を防ぎ、スタック後の容器の蓋を上から順に１個づつ確実に取り出すことができる容器の蓋である。尚、本発明である容器の蓋のスタック性の意味は、容器の蓋を上方に順次積み重ねていったときに崩れることなく数十枚から百枚単位で安定的に上方へ積み重ねができ、かつ、容器の蓋を１枚つづ確実に取り出しができることである。
【００２２】
更に、本発明の容器の蓋は、複数の容器の蓋同士が上方に積み重ねられたときに、容器の蓋の側壁部と、下方の容器の蓋の側壁部との間に０．１ｍｍから０．３ｍｍの第二隙間ができる容器の蓋であるので、薄肉形状により柔軟性がある容器の蓋を積み重ねて運搬する場合に、隣り合う容器の蓋同士が衝突しあっても、容器の蓋同士の側壁部の重なり合うところは０．１ｍｍから０．３ｍｍのスペースしかあかないため２重の壁が形成されることになるので、スタック時の剛性が大きくなり外部からの衝撃に強く変形などが発生しにくい容器の蓋である。また、前記スタックリブ部の垂直方向の高さが０．３ｍｍから０．８ｍｍを形成することで、前記スタックリブ部が設置されていない箇所の前記厚肉部と前記天板部の間に隙間を設けて、容器の蓋同士の側壁部の重なり合うところが０．１ｍｍから０．３ｍｍの隙間を設けることで、この隙間から空気の出入りがなされ、積み重なり合う容器の蓋Ａ同士の減圧や静電気の滞留を防ぎ、上から順に１個づつ確実に容器の蓋Ａを取り出すことができる。
【発明を実施するための最良の形態】
【００２３】
図１乃至図５において、本発明の容器の蓋Ａは射出成形法により０．７ｍｍ以下の肉厚寸法aによる薄肉形状にて形成し、前記容器の蓋Ａは円筒状で、ポリプロピレンやポリエチレンなどの合成樹脂材でできており、円筒状の容器本体Ｂの開口部分に設置するものである。前記容器の蓋Ａの上面には円板状の天板部５と、前記天板部５の外周から下端へ延出し、前記天板部５の外径Ｐよりも大きな内径Ｑをもつ円筒状の側壁部４とを有する。前記側壁部の内面３の中間部分全周に内側に突出したＶ形状などからなる厚肉部２と前記厚肉部２と天板部５との間に凹所６を形成することで、容器本体Ｂの開口部分に容器の蓋Ａを設置した場合、容器本体嵌合部Ｂ１は前記厚肉部２を乗り越えて前記凹所６と嵌合される。
【００２４】
前記厚肉部２には前記天板部５と反対位置方向に突出したスタックリブ部１を８個から１２個以上設けて、複数の容器の蓋Ａが上方に順に積み重ねられた場合、前記スタックリブ部１の水平な下端面が前記天板部５の平面部に当接するので、容器の蓋Ａ同士の積み重ねの安定性が非常に高く、数十枚から１００枚単位での積み重ねにも効果を発揮するものである。
【００２５】
更に、容器の蓋Ａ同士が積み重ねられた場合に、例えば、容器の蓋Ａにスタックリブ部１を設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８個から１２個以上のスタックリブ部１を均一に設置し、前記スタックリブ部１が設置されていない箇所の厚肉部２と前記天板部５の間に隙間が発生するので、前記隙間から空気の出入りがなされ、積み重なり合う容器の蓋Ａ同士の減圧や静電気の滞留を防ぎ、上から順に１個づつ確実に容器の蓋Ａを取り出すことができる。
【００２６】
また、本発明の容器の蓋Ａは薄肉形状であるため材料代のコスト低減を行うことができるが、図１及び図３に示すとおり薄肉形状であっても、前記厚肉部２は前記壁面部の内面３の全周を補強する役目を果たし、更に、前記スタックリブ部１は前記厚肉部２を補強する役目を果たしているので、成形後の冷却で発生するそりや歪みなどの変形や、着脱の繰り返しによるそりや歪みなどの変形が起こらない容器の蓋Ａを提供することができる。
【００２７】
次に、本発明の容器の蓋Ａを嵌合相手である容器本体Ｂへ嵌合させた状態を図４に示す。例えば可撓性のある紙材やポリプロピレン、ポリエチレンなどの合成樹脂材を用いて前記容器本体Ｂを成形することで、ポリプロピレンやポリエチレンなどの合成樹脂材で成形した本発明の容器の蓋Ａの伸縮性と、前記容器本体Ｂとの伸縮性並びに可撓性の作用が併用されことで、容器の蓋Ａの着脱が更に自在となる。また、被注出物の漏れ防止や品質保持をさせるためにアルミシート材や樹脂シート材などの密封シールを容器本体Ｂの開口部分に施した場合でも、容器の蓋Ａの着脱は自在に行うことができる。更に、前記天板部５の形状は図２および図３に示すように中央に凹んだ平面部があるので、前記天板部５の中央部および周辺の全面に模様や写真などが加飾されたラベルをインモールド成形などで貼着させることができるので、意匠性や装飾性に優れた容器の蓋Ａを提供することができる。
【００２８】
図５においては、本発明の容器の蓋Ａ同士を積み重ねていくスタックした状態を示す。複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる上、保管スペースの省スペース化が図れ、保管ならびに輸送などのコスト低減できる。また、積み重ねてスタックすることによる荷崩れなどで発生する商品破損などの不良も発生しない。
【００２９】
図６は、スタックリブ部１ａの異なる実施形態例を示す。図６に示すとおり、容器の蓋Ａの肉厚寸法ａが０．７ｍｍ以下の薄肉形状を有する容器の蓋Ａであって、前記スタックリブ部１ａは厚肉部２との接面の勾配角度ｂが２５度から４５度とし、かつ、前記スタックリブ部１ａは垂直方向の高さｃが０．３ｍｍから０．８ｍｍを形成したスタックリブ部１ａを形成することで、０．７ｍｍ以下の肉厚寸法ａにすることで真空成形法に近い肉厚寸法ａで外観形状にバリエーションを持たせた高級感のある形状を射出成形法により形成することができる。更に、肉厚寸法ａが薄肉になれば単量を少なくすることができるので原料コストを削減することができる上、前記勾配角度ｂが２５度から４５度であり、前記スタックリブ部１ａは垂直方向の高さｃが０．３ｍｍから０．８ｍｍを形成することで、本発明である容器の蓋Ａを容器Ｂの開口部へ装着したときに前記スタックリブ部１ａは容器本体嵌合部Ｂ１へのガイドの役目を果たし、前記容器の蓋Ａを容器Ｂの開口部へ嵌め込みしやすい容器の蓋Ａである。また、前記スタックリブ部１ａの水平な下端面が天板部５の水平部に当接できる形状になるので、容器の蓋Ａ同士の積み重ねの安定性が非常に高く、数十枚から１００枚単位での積み重ねができる容器の蓋Ａである。ここでいう接面とは、スタックリブ部１ａの水平な下端面と垂線を結ぶスタックリブ部頂点のＲ面ｚと厚肉部頂点のＲ面ｙの両方に接する面のことをいい、また、勾配角度ｂとは、前記接面と前記厚肉部頂点のＲ面ｙを起点とした垂線とを交差する角度のことをいう。
【００３０】
図７においては、本発明の容器の蓋Ａ同士を積み重ねていくスタックした状態をスタックリブ部１ａの異なる実施形態を例とした場合で示す。容器の蓋Ａの上に同方向の容器の蓋Ａを積み重ねていくと、前記容器の蓋Ａの天板部５の周縁付近に上方に設置された容器の蓋Ａのスタックリブ部１ａの水平な下端面が前記天板部５の水平部に当接するので、容器の蓋Ａ同士の積み重ねの安定性が非常に高く、数十枚から１００枚単位での積み重ねにも効果を発揮するものである。また、スタックリブ部１ａの設置数については、前記天板部５と反対位置方向に突出したスタックリブ部１ａを８個から１２個以上に均一に設けることで、より積み重ねを安定させることができる。
【００３１】
更に、複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる。
【００３２】
また、仮に積み重ねによるセンター位置がづれたとしても、下方の容器の蓋Ａの側壁部４との間に０．１ｍｍから０．３ｍｍの出来るだけ隙間を持たせない第二隙間ｄを形成させることで、設置されているスタックリブ部１ａのほとんどが、前記スタックリブ部１ａの水平な下端面が前記天板部５の水平部に当接するので、容器の蓋Ａ同士の積み重ねの安定性が非常に高く、数十枚から１００枚単位での積み重ねにも効果を発揮し、保管スペースの省スペース化が図れ、保管ならびに輸送などのコスト低減できる。更に、積み重ねてスタックすることによる荷崩れなどで発生する商品破損などの不良も発生しない。
【００３３】
また、容器の蓋Ａ同士が積み重ねられた場合に、例えば、容器の蓋Ａにスタックリブ部１ａを設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８から１２個以上のスタックリブ部１ａを均一に設置し、前記スタックリブ部１ａの垂直方向の高さｃが０．３ｍｍから０．８ｍｍを形成することで、前記スタックリブ部１ａが設置されていない箇所の前記厚肉部２と前記天板部５の間に隙間を設けて、容器の蓋Ａ同士の側壁部４の重なり合うところが０．１ｍｍから０．３ｍｍの隙間を設けることで、前記隙間から空気の出入りがなされ、積み重なり合う容器の蓋Ａ同士の減圧や静電気の滞留を防ぎ、上から順に１個づつ確実に容器の蓋Ａを取り出すことができる。
【図面の簡単な説明】
【００３４】
【図１】本発明の実施形態である容器の蓋を示す斜視図である。
【図２】同実施形態の平面図である。
【図３】同実施形態の断面図である。
【図４】同実施形態の容器の蓋を容器本体に嵌合させた断面図である。
【図５】同実施形態の容器の蓋を積み重ねてスタックする断面図である。
【図６】本発明の異なる実施形態を示すスタックリブ部周辺の断面図である。
【図７】図６の容器の蓋を積み重ねてスタックする断面図である。
【符号の説明】
【００３５】
１        スタックリブ部
１ａ      スタックリブ部
２        厚肉部
３        側壁部の内面
４        側壁部
５        天板部      
６        凹所
Ａ        容器の蓋
Ｂ        容器本体
Ｂ１      容器本体嵌合部
Ｐ        外径
Ｑ        内径
ａ        肉厚寸法
ｂ        勾配角度
ｃ        垂直方向の高さ
ｄ        第二隙間
ｙ        厚肉部頂点のＲ面
ｚ        スタックリブ部頂点のＲ面
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端と垂線を結ぶスタックリブ部の円弧の頂点（ｚ）と厚肉部の円弧の頂点（ｙ）の両方に接する線と、前記厚肉部の円弧の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋。
【請求項２】
複数の容器の蓋同士が上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができることを特徴とする請求項１に記載の容器の蓋。
【請求項３】
複数の容器の蓋同士が上方に積み重ねられたときに、容器の蓋の側壁部と、下方の容器の蓋の側壁部との間に０．１ｍｍから０．３ｍｍの第二隙間ができることを特徴とする請求項１または請求項２に記載の容器の蓋。
【手続補正２】
【補正対象書類名】明細書
【補正対象項目名】全文
【補正方法】変更
【補正の内容】
【発明の詳細な説明】
【技術分野】
【０００１】
本発明は、主にヨーグルトやアイスクリームなどの被注出物が入った容器の蓋に関するものである。
【背景技術】
【０００２】
着脱操作が容易で装着性のすぐれた容器の蓋として、特許文献１に記載の嵌合筒部の内径面に容器口部外周面部の下縁と係止する周方向の横突部と、前記容器口部外周面部と当接縦リブとを厚みのある台状突部の上に形成した３個以上からなる係止部を設けた、ジャムやマーマレード等の食品類を入れた容器の密封シールを保護するためのオーバーキャップが提案されている。
【０００３】
また、容器本体に嵌合操作し易く係合冠着せしめ得ると共に、係合冠着したら脱離し難く冠着を保持し得るオーバーキャップとして、特許文献２に記載のフランジ係合部の開口部側に下方の周壁の周方向に沿って、内側に膨出する周方向長軸の楕円形の膨出突部が複数個設けられ、その頂部近傍に貫通孔が設置され貫通孔の内側出口付近に突片が形成されているプラスチック薄板材からなるシート成形法により形成したオーバーキャップが提案されている。
【０００４】
更に、複数の蓋を順に積層する場合には、上部の巾が下部の巾よりも小さい中空立上がり縁を利用することによって多数の蓋を上下に順に嵌合させながら、安定した状態で積層し、下の蓋の中空立上がり縁の上縁面の端縁と段部とが、上の蓋の中空立上がり縁のリング凹条及び天井板の周辺縁に当接されるので、上下の蓋が不必要に深く嵌合されて、抜けなくなることを防止する特許文献３に記載の包装用容器の蓋が提案されている。
【０００５】
また、脱着が容易で、かつ容器のフランジ部の微妙な口径差異にも対応して確実に嵌合できる容器蓋として、特許文献４に記載の容器フランジ部の外周部に対向するように嵌め合わされる蓋嵌合部の壁面を、上方視多角形状の多角壁とする容器蓋が提案されている。
【０００６】
更に、複数の蓋体を積層する際に、段差部が蓋体周縁部の上面に嵌合することで両者が必要以上深く嵌合することを防止する容器の蓋体として、特許文献５に記載の容器本体の開口縁に外嵌する立設縁の先端近傍に所定の幅で外側に広がった段差部と、複数の蓋体を重ねた際に一の前記蓋体の段差部が他の前記蓋体の天板の輪郭部に嵌合するインスタント食品用容器の蓋体が提案されている。
【０００７】
また、アイスクリームのカートンのキャップとして、特許文献６に記載の垂下するスカート部分を有し単一の円形の形状の樹脂蓋を備え、前記蓋の上面は、複数の同様な蓋が堆積される関係での保持を向上すると共に、蓋の剛性を与える如く、その外側面で内方へ傾斜し上方かつ内方へ延びる同心状ビードを有したキャップやアイスクリームのカートン等のキャップと類似形状をもつ特許文献７に記載のオーバーキャップが提案されている。
【０００８】
更に、引用文献８に記載の容器の蓋として、引用文献８の第５欄第３０行〜第３６行に、ガスケット（ｇａｓｋｅｔ）上に、半径方向内側に突出するノブ（ｋｎｏｂ  ３３）が形成され、ノブ（３３）は密閉機におけるキャップ貯蔵やキャップ供給の際に好ましからざるキャップ（ｃａｐ  ３１）の積み重ねを防止することが記載されており、また、引用文献８の第５欄第３８行〜第４４行には、ノブ（３３）が容器の溝（１２）内に位置して固定作用をなすとともに、キャップの取り外しの際にラグ（ｌｕｇ  ３０）と同様に取り外させることもあることが記載されている。
【０００９】
【特許文献１】特開平０９−１８８３５３号公報
【特許文献２】特開２００３−３２１０５３号公報
【特許文献３】特開平１０−１２０００５号公報
【特許文献４】特開２００２−３３７９００号公報
【特許文献５】特開２００５−２８０７３３号公報
【特許文献６】特開昭５７−１７５５５６号公報
【特許文献７】ＵＳ６４７８１８３号公報
【特許文献８】ＵＳ３７４１４２３号公報
【発明の開示】
【発明が解決しようとする課題】
【００１０】
一般的に容器の蓋などを保管する場合、容器の蓋を上方に積み重ねて積層させていくことで保管場所の省スペース化が図れ、保管ならびに輸送などのコスト低減を行うことができるが、特許文献１に記載のオーバーキャップでは、容器外周面部の下縁と係止する周方向の横突部がオーバーキャップの側面内側の下端側に設置されていることと、各横突部と相対峙する箇所の側面内側の下端側に突状部も設置されているため、複数の蓋を上方に順に重ねた場合、前記横突部及び前記突状部の出っ張りが邪魔となり、容器の蓋が上方に順に積み重なるにつれて不安定な状態となり、すぐに荷崩れを起こしてしまう。また、ヨーグルトやアイスクリームなどの被注出物が充填された容器本体へバキューム装置などを使用して自動的に容器の蓋を容器本体の開口部分へキャッピングしていく場合には、積み重ねられた容器の蓋を上方から１個つづバキューム装置などで吸着して搬送しながら供給していくが、積み重ねられた状態が不安定であるためにうまく吸着できず安定的に供給していくのが困難である。
【００１１】
更に、特許文献２に記載の容器用オーバーキャップでは、周壁に沿って内側に膨出する膨出突部が複数個設けられていることで、オーバーキャップを複数個、上方に積み重ねた場合、前記膨出突部はスタック性を良好にすることを目的として形成されたものではなく、オーバーキャップを冠着した容器の搬送や陳列に当たって生じる外的衝撃に遭遇しても冠着保持できる形状として形成されたものであるので、積み重ねに際する安定性には劣るものである。尚、ここでいうスタック性とは、オーバーキャップを上方に順次積み重ねていったときに崩れることなく安定的な積み重ねができることを言う。
【００１２】
また、特許文献３に記載の包装用容器の蓋では、上下の蓋が不必要に深く嵌合されて、抜けなくなることを防止することを作用効果としているとはいえ、上下の蓋が密着する可能性が残されており、上下の蓋が抜けなくなる。
【００１３】
更に、特許文献４に記載の容器蓋では、容器蓋の嵌合部に形成された逆テーパー部が、嵌合部の内側領域に対して、下方側の容器蓋の嵌合部が嵌入し、容器蓋同士が深くスタックしてしまうのを防止するようにしているため、スカート部の位置を浅めに設置しており、容器蓋同士が積み重ねられた状態で輸送する場合、輸送による振動に対して荷崩れが発生しやすく積み重ねに際する安定性には劣る。また、特許文献５に記載の容器の蓋体についても、特許文献４に記載の容器蓋と同様に段差部の位置が浅めに設置してあるため、輸送による振動に対して荷崩れが発生しやすく積み重ねに際する安定性には劣る。尚、ここでいうスタックとは、容器蓋を上方に順次積み重ねていったときに容器蓋と上方の容器蓋が積み重なる容器蓋の重みにより嵌着してしまい、１枚つづ確実に取り出しができないことを言う。
【００１４】
更に、特許文献６及び特許文献７に記載のオーバーキャップでは、オーバーキャップ同士が積み重なる位置は、円板部分の円周に設置されたスカート部の上部に上方のオーバーキャップのスカート部の下部がのりあがるため、輸送による振動に対して荷崩れが発生しやすく積み重ねに際する安定性には劣る。
【００１５】
また、引用文献８記載の容器の蓋では、半径方向内側に突出するノブ(ｋｎｏｂ  ３３)が形成されており、容器の蓋同士が重なり合ったときに、上位の前記ノブ(ｋｎｏｂ  ３３)が、下位の蓋体のカバー（ｃｏｖｅｒ  ７）外周からスカート（ｓｋｉｒｔ  ６）部分に至るコーナー付近で前記ノブ(ｋｎｏｂ  ３３)の下端は円周状の線で接するため、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない構造である。仮にノブ(ｋｎｏｂ  ３３)を形成する位置をラグ（ｌｕｇ  ３０）が形成された位置に設置しても、ノブ(ｋｎｏｂ  ３３)が接する位置は、同じように円周状の線で接することには変わりなく、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない。また、ノブ(ｋｎｏｂ  ３３)は円周状の線で接しているので、積み重ねによるバランスはとりづらく安定性には劣り、容器の蓋を順次積み重ねていくと傾いて崩れるので、十数枚〜百枚単位での積み重ねをすることは困難である。
【００１６】
本発明の目的は、上記課題を解決し、複数個の容器の蓋を上方に順に積み重ねした際に荷崩れが発生するか否かの状態、即ちスタック性を安定させ、スタックした容器の蓋が密着するのを防止し上方に順に１個づつ確実に取り出すことができる容器の蓋を提供すると共に、容器の開口部へ嵌め込みしやすい容器の蓋を提供することである。
【課題を解決するための手段】
【００１７】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端と垂線を結ぶスタックリブ部の円弧の頂点（ｚ）と厚肉部の円弧の頂点（ｙ）の両方に接する線と、前記厚肉部の円弧の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋である。
【００１８】
本発明は、複数の容器の蓋同士が上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができる容器の蓋である。
【００１９】
本発明は、複数の容器の蓋同士が上方に積み重ねられたときに、容器の蓋の側壁部と、下方の容器の蓋の側壁部との間に０．１ｍｍから０．３ｍｍの第二隙間ができる容器の蓋である。
【発明の効果】
【００２０】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、スタックリブ部の水平な下端と垂線を結ぶスタックリブ部の円弧の頂点（ｚ）と厚肉部の円弧の頂点（ｙ）の両方に接する線と、前記厚肉部の円弧の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋あるので、０．７ｍｍ以下の肉厚寸法にすることで真空成形法に近い肉厚寸法で外観形状にバリエーションを持たせた高級感のある形状を射出成形法で形成することができる。また、肉厚寸法が薄肉になれば単量を少なくすることができるので原料コストを削減することができる上、スタックリブ部の水平な下端と垂線を結ぶスタックリブ部の円弧の頂点（ｚ）と厚肉部の円弧の頂点（ｙ）の両方に接する線と、前記厚肉部の円弧の頂点（ｙ）を起点とした垂線とが交差する勾配角度（ｂ）は２５度から４５度であり、前記スタックリブ部は垂直方向の高さ（ｃ）が０．３ｍｍから０．８ｍｍであることで、本発明である容器の蓋を容器の開口部へ装着したときに前記スタックリブ部は容器本体嵌合部へのガイドの役目を果たし、前記容器の蓋を容器の開口部へ嵌め込みしやすい容器の蓋である。
【００２１】
また、本発明の容器の蓋は、複数の容器の蓋同士が上方に積み重ねられたときに、前記スタックリブ部の下端面が下方の容器の蓋の天板部の水平部に当接し、前記スタックリブ部が設置されていない箇所の前記厚肉部と下方の容器の蓋の前記天板部の間に隙間ができる容器の蓋であるので、容器の蓋のスタックリブ部の水平な下端面が天板部の水平部に当接できる形状になるので、容器の蓋同士の積み重ねの安定性が非常に高い容器の蓋である。更に、前記厚肉部と下方の容器の蓋の前記天板部の間に隙間が一定にできることで、この隙間から空気の出入りがなされ、積み重なり合う容器の蓋同士の減圧や静電気の滞留を防止することができるので、容器の蓋同士の密着を防ぎ、スタック後の容器の蓋を上から順に１個づつ確実に取り出すことができる容器の蓋である。尚、本発明である容器の蓋のスタック性の意味は、容器の蓋を上方に順次積み重ねていったときに崩れることなく数十枚から百枚単位で安定的に上方へ積み重ねができ、かつ、容器の蓋を１枚つづ確実に取り出しができることである。
【００２２】
更に、本発明の容器の蓋は、複数の容器の蓋同士が上方に積み重ねられたときに、容器の蓋の側壁部と、下方の容器の蓋の側壁部との間に０．１ｍｍから０．３ｍｍの第二隙間ができる容器の蓋であるので、薄肉形状により柔軟性がある容器の蓋を積み重ねて運搬する場合に、隣り合う容器の蓋同士が衝突しあっても、容器の蓋同士の側壁部の重なり合うところは０．１ｍｍから０．３ｍｍのスペースしかあかないため２重の壁が形成されることになるので、スタック時の剛性が大きくなり外部からの衝撃に強く変形などが発生しにくい容器の蓋である。また、前記スタックリブ部の垂直方向の高さが０．３ｍｍから０．８ｍｍを形成することで、前記スタックリブ部が設置されていない箇所の前記厚肉部と前記天板部の間に隙間を設けて、容器の蓋同士の側壁部の重なり合うところが０．１ｍｍから０．３ｍｍの隙間を設けることで、この隙間から空気の出入りがなされ、積み重なり合う容器の蓋Ａ同士の減圧や静電気の滞留を防ぎ、上から順に１個づつ確実に容器の蓋Ａを取り出すことができる。
【発明を実施するための最良の形態】
【００２３】
図１乃至図５において、本発明の容器の蓋Ａは射出成形法により０．７ｍｍ以下の肉厚寸法aによる薄肉形状にて形成し、前記容器の蓋Ａは円筒状で、ポリプロピレンやポリエチレンなどの合成樹脂材でできており、円筒状の容器本体Ｂの開口部分に設置するものである。前記容器の蓋Ａの上面には円板状の天板部５と、前記天板部５の外周から下端へ延出し、前記天板部５の外径Ｐよりも大きな内径Ｑをもつ円筒状の側壁部４とを有する。前記側壁部の内面３の中間部分全周に内側に突出したＶ形状などからなる厚肉部２と前記厚肉部２と天板部５との間に凹所６を形成することで、容器本体Ｂの開口部分に容器の蓋Ａを設置した場合、容器本体嵌合部Ｂ１は前記厚肉部２を乗り越えて前記凹所６と嵌合される。
【００２４】
前記厚肉部２には前記天板部５と反対位置方向に突出したスタックリブ部１を８個から１２個以上設けて、複数の容器の蓋Ａが上方に順に積み重ねられた場合、前記スタックリブ部１の水平な下端面が前記天板部５の平面部に当接するので、容器の蓋Ａ同士の積み重ねの安定性が非常に高く、数十枚から１００枚単位での積み重ねにも効果を発揮するものである。
【００２５】
更に、容器の蓋Ａ同士が積み重ねられた場合に、例えば、容器の蓋Ａにスタックリブ部１を設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８個から１２個以上のスタックリブ部１を均一に設置し、前記スタックリブ部１が設置されていない箇所の厚肉部２と前記天板部５の間に隙間が発生するので、前記隙間から空気の出入りがなされ、積み重なり合う容器の蓋Ａ同士の減圧や静電気の滞留を防ぎ、上から順に１個づつ確実に容器の蓋Ａを取り出すことができる。
【００２６】
また、本発明の容器の蓋Ａは薄肉形状であるため材料代のコスト低減を行うことができるが、図１及び図３に示すとおり薄肉形状であっても、前記厚肉部２は前記壁面部の内面３の全周を補強する役目を果たし、更に、前記スタックリブ部１は前記厚肉部２を補強する役目を果たしているので、成形後の冷却で発生するそりや歪みなどの変形や、着脱の繰り返しによるそりや歪みなどの変形が起こらない容器の蓋Ａを提供することができる。
【００２７】
次に、本発明の容器の蓋Ａを嵌合相手である容器本体Ｂへ嵌合させた状態を図４に示す。例えば可撓性のある紙材やポリプロピレン、ポリエチレンなどの合成樹脂材を用いて前記容器本体Ｂを成形することで、ポリプロピレンやポリエチレンなどの合成樹脂材で成形した本発明の容器の蓋Ａの伸縮性と、前記容器本体Ｂとの伸縮性並びに可撓性の作用が併用されことで、容器の蓋Ａの着脱が更に自在となる。また、被注出物の漏れ防止や品質保持をさせるためにアルミシート材や樹脂シート材などの密封シールを容器本体Ｂの開口部分に施した場合でも、容器の蓋Ａの着脱は自在に行うことができる。更に、前記天板部５の形状は図２および図３に示すように中央に凹んだ平面部があるので、前記天板部５の中央部および周辺の全面に模様や写真などが加飾されたラベルをインモールド成形などで貼着させることができるので、意匠性や装飾性に優れた容器の蓋Ａを提供することができる。
【００２８】
図５においては、本発明の容器の蓋Ａ同士を積み重ねていくスタックした状態を示す。複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる上、保管スペースの省スペース化が図れ、保管ならびに輸送などのコスト低減できる。また、積み重ねてスタックすることによる荷崩れなどで発生する商品破損などの不良も発生しない。
【００２９】
図６は、スタックリブ部１ａの異なる実施形態例を示す。図６に示すとおり、容器の蓋Ａの肉厚寸法ａが０．７ｍｍ以下の薄肉形状を有する容器の蓋Ａであって、前記スタックリブ部１ａは厚肉部２との接線の勾配角度ｂが２５度から４５度とし、かつ、前記スタックリブ部１ａは垂直方向の高さｃが０．３ｍｍから０．８ｍｍを形成したスタックリブ部１ａを形成することで、０．７ｍｍ以下の肉厚寸法ａにすることで真空成形法に近い肉厚寸法ａで外観形状にバリエーションを持たせた高級感のある形状を射出成形法により形成することができる。更に、肉厚寸法ａが薄肉になれば単量を少なくすることができるので原料コストを削減することができる上、前記勾配角度ｂが２５度から４５度であり、前記スタックリブ部１ａは垂直方向の高さｃが０．３ｍｍから０．８ｍｍを形成することで、本発明である容器の蓋Ａを容器Ｂの開口部へ装着したときに前記スタックリブ部１ａは容器本体嵌合部Ｂ１へのガイドの役目を果たし、前記容器の蓋Ａを容器Ｂの開口部へ嵌め込みしやすい容器の蓋Ａである。また、前記スタックリブ部１ａの水平な下端面が天板部５の水平部に当接できる形状になるので、容器の蓋Ａ同士の積み重ねの安定性が非常に高く、数十枚から１００枚単位での積み重ねができる容器の蓋Ａである。ここでいう接線とは、
スタックリブ部１ａの水平な下端と垂線を結ぶスタックリブ部１ａの円弧の頂点ｚと厚肉部の円弧の頂点ｙの両方に接する線のことをいい、また、勾配角度ｂとは、前記接線と前記厚肉部の円弧の頂点ｙを起点とした垂線とが交差する角度のことをいう。
【００３０】
図７においては、本発明の容器の蓋Ａ同士を積み重ねていくスタックした状態をスタックリブ部１ａの異なる実施形態を例とした場合で示す。容器の蓋Ａの上に同方向の容器の蓋Ａを積み重ねていくと、前記容器の蓋Ａの天板部５の周縁付近に上方に設置された容器の蓋Ａのスタックリブ部１ａの水平な下端面が前記天板部５の水平部に当接するので、容器の蓋Ａ同士の積み重ねの安定性が非常に高く、数十枚から１００枚単位での積み重ねにも効果を発揮するものである。また、スタックリブ部１ａの設置数については、前記天板部５と反対位置方向に突出したスタックリブ部１ａを８個から１２個以上に均一に設けることで、より積み重ねを安定させることができる。
【００３１】
更に、複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる。
【００３２】
また、仮に積み重ねによるセンター位置がづれたとしても、下方の容器の蓋Ａの側壁部４との間に０．１ｍｍから０．３ｍｍの出来るだけ隙間を持たせない第二隙間ｄを形成させることで、設置されているスタックリブ部１ａのほとんどが、前記スタックリブ部１ａの水平な下端面が前記天板部５の水平部に当接するので、容器の蓋Ａ同士の積み重ねの安定性が非常に高く、数十枚から１００枚単位での積み重ねにも効果を発揮し、保管スペースの省スペース化が図れ、保管ならびに輸送などのコスト低減できる。更に、積み重ねてスタックすることによる荷崩れなどで発生する商品破損などの不良も発生しない。
【００３３】
また、容器の蓋Ａ同士が積み重ねられた場合に、例えば、容器の蓋Ａにスタックリブ部１ａを設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８から１２個以上のスタックリブ部１ａを均一に設置し、前記スタックリブ部１ａの垂直方向の高さｃが０．３ｍｍから０．８ｍｍを形成することで、前記スタックリブ部１ａが設置されていない箇所の前記厚肉部２と前記天板部５の間に隙間を設けて、容器の蓋Ａ同士の側壁部４の重なり合うところが０．１ｍｍから０．３ｍｍの隙間を設けることで、前記隙間から空気の出入りがなされ、積み重なり合う容器の蓋Ａ同士の減圧や静電気の滞留を防ぎ、上から順に１個づつ確実に容器の蓋Ａを取り出すことができる。
【図面の簡単な説明】
【００３４】
【図１】本発明の実施形態である容器の蓋を示す斜視図である。
【図２】同実施形態の平面図である。
【図３】同実施形態の断面図である。
【図４】同実施形態の容器の蓋を容器本体に嵌合させた断面図である。
【図５】同実施形態の容器の蓋を積み重ねてスタックする断面図である。
【図６】本発明の異なる実施形態を示すスタックリブ部周辺の断面図である。
【図７】図６の容器の蓋を積み重ねてスタックする断面図である。
【符号の説明】
【００３５】
１        スタックリブ部
１ａ      スタックリブ部
２        厚肉部
３        側壁部の内面
４        側壁部
５        天板部      
６        凹所
Ａ        容器の蓋
Ｂ        容器本体
Ｂ１      容器本体嵌合部
Ｐ        外径
Ｑ        内径
ａ        肉厚寸法
ｂ        勾配角度
ｃ        垂直方向の高さ
ｄ        第二隙間
ｙ        厚肉部の円弧の頂点
ｚ        スタックリブ部の円弧の頂点
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、断面視において、スタックリブ部の水平な下端と垂線を結ぶスタックリブ部のＲ部の頂点（ｚ）と厚肉部のＲ部の頂点（ｙ）の両方に接する線と、前記厚肉部のＲ部の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋。
【請求項２】
複数の容器の蓋同士が上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができることを特徴とする請求項１に記載の容器の蓋。
【請求項３】
複数の容器の蓋同士が上方に積み重ねられたときに、容器の蓋の側壁部と、下方の容器の蓋の側壁部との間に０．１ｍｍから０．３ｍｍの第二隙間ができることを特徴とする請求項１または請求項２に記載の容器の蓋。
【手続補正２】
【補正対象書類名】明細書
【補正対象項目名】全文
【補正方法】変更
【補正の内容】
【発明の詳細な説明】
【技術分野】
【０００１】
本発明は、主にヨーグルトやアイスクリームなどの被注出物が入った容器の蓋に関するものである。
【背景技術】
【０００２】
着脱操作が容易で装着性のすぐれた容器の蓋として、特許文献１に記載の嵌合筒部の内径面に容器口部外周面部の下縁と係止する周方向の横突部と、前記容器口部外周面部と当接縦リブとを厚みのある台状突部の上に形成した３個以上からなる係止部を設けた、ジャムやマーマレード等の食品類を入れた容器の密封シールを保護するためのオーバーキャップが提案されている。
【０００３】
また、容器本体に嵌合操作し易く係合冠着せしめ得ると共に、係合冠着したら脱離し難く冠着を保持し得るオーバーキャップとして、特許文献２に記載のフランジ係合部の開口部側に下方の周壁の周方向に沿って、内側に膨出する周方向長軸の楕円形の膨出突部が複数個設けられ、その頂部近傍に貫通孔が設置され貫通孔の内側出口付近に突片が形成されているプラスチック薄板材からなるシート成形法により形成したオーバーキャップが提案されている。
【０００４】
更に、複数の蓋を順に積層する場合には、上部の巾が下部の巾よりも小さい中空立上がり縁を利用することによって多数の蓋を上下に順に嵌合させながら、安定した状態で積層し、下の蓋の中空立上がり縁の上縁面の端縁と段部とが、上の蓋の中空立上がり縁のリング凹条及び天井板の周辺縁に当接されるので、上下の蓋が不必要に深く嵌合されて、抜けなくなることを防止する特許文献３に記載の包装用容器の蓋が提案されている。
【０００５】
また、脱着が容易で、かつ容器のフランジ部の微妙な口径差異にも対応して確実に嵌合できる容器蓋として、特許文献４に記載の容器フランジ部の外周部に対向するように嵌め合わされる蓋嵌合部の壁面を、上方視多角形状の多角壁とする容器蓋が提案されている。
【０００６】
更に、複数の蓋体を積層する際に、段差部が蓋体周縁部の上面に嵌合することで両者が必要以上深く嵌合することを防止する容器の蓋体として、特許文献５に記載の容器本体の開口縁に外嵌する立設縁の先端近傍に所定の幅で外側に広がった段差部と、複数の蓋体を重ねた際に一の前記蓋体の段差部が他の前記蓋体の天板の輪郭部に嵌合するインスタント食品用容器の蓋体が提案されている。
【０００７】
また、アイスクリームのカートンのキャップとして、特許文献６に記載の垂下するスカート部分を有し単一の円形の形状の樹脂蓋を備え、前記蓋の上面は、複数の同様な蓋が堆積される関係での保持を向上すると共に、蓋の剛性を与える如く、その外側面で内方へ傾斜し上方かつ内方へ延びる同心状ビードを有したキャップやアイスクリームのカートン等のキャップと類似形状をもつ特許文献７に記載のオーバーキャップが提案されている。
【０００８】
更に、引用文献８に記載の容器の蓋として、引用文献８の第５欄第３０行〜第３６行に、ガスケット（ｇａｓｋｅｔ）上に、半径方向内側に突出するノブ（ｋｎｏｂ  ３３）が形成され、ノブ（３３）は密閉機におけるキャップ貯蔵やキャップ供給の際に好ましからざるキャップ（ｃａｐ  ３１）の積み重ねを防止することが記載されており、また、引用文献８の第５欄第３８行〜第４４行には、ノブ（３３）が容器の溝（１２）内に位置して固定作用をなすとともに、キャップの取り外しの際にラグ（ｌｕｇ  ３０）と同様に取り外させることもあることが記載されている。
【０００９】
【特許文献１】特開平０９−１８８３５３号公報
【特許文献２】特開２００３−３２１０５３号公報
【特許文献３】特開平１０−１２０００５号公報
【特許文献４】特開２００２−３３７９００号公報
【特許文献５】特開２００５−２８０７３３号公報
【特許文献６】特開昭５７−１７５５５６号公報
【特許文献７】ＵＳ６４７８１８３号公報
【特許文献８】ＵＳ３７４１４２３号公報
【発明の開示】
【発明が解決しようとする課題】
【００１０】
一般的に容器の蓋などを保管する場合、容器の蓋を上方に積み重ねて積層させていくことで保管場所の省スペース化が図れ、保管ならびに輸送などのコスト低減を行うことができるが、特許文献１に記載のオーバーキャップでは、容器外周面部の下縁と係止する周方向の横突部がオーバーキャップの側面内側の下端側に設置されていることと、各横突部と相対峙する箇所の側面内側の下端側に突状部も設置されているため、複数の蓋を上方に順に重ねた場合、前記横突部及び前記突状部の出っ張りが邪魔となり、容器の蓋が上方に順に積み重なるにつれて不安定な状態となり、すぐに荷崩れを起こしてしまう。また、ヨーグルトやアイスクリームなどの被注出物が充填された容器本体へバキューム装置などを使用して自動的に容器の蓋を容器本体の開口部分へキャッピングしていく場合には、積み重ねられた容器の蓋を上方から１個つづバキューム装置などで吸着して搬送しながら供給していくが、積み重ねられた状態が不安定であるためにうまく吸着できず安定的に供給していくのが困難である。
【００１１】
更に、特許文献２に記載の容器用オーバーキャップでは、周壁に沿って内側に膨出する膨出突部が複数個設けられていることで、オーバーキャップを複数個、上方に積み重ねた場合、前記膨出突部はスタック性を良好にすることを目的として形成されたものではなく、オーバーキャップを冠着した容器の搬送や陳列に当たって生じる外的衝撃に遭遇しても冠着保持できる形状として形成されたものであるので、積み重ねに際する安定性には劣るものである。尚、ここでいうスタック性とは、オーバーキャップを上方に順次積み重ねていったときに崩れることなく安定的な積み重ねができることを言う。
【００１２】
また、特許文献３に記載の包装用容器の蓋では、上下の蓋が不必要に深く嵌合されて、抜けなくなることを防止することを作用効果としているとはいえ、上下の蓋が密着する可能性が残されており、上下の蓋が抜けなくなる。
【００１３】
更に、特許文献４に記載の容器蓋では、容器蓋の嵌合部に形成された逆テーパー部が、嵌合部の内側領域に対して、下方側の容器蓋の嵌合部が嵌入し、容器蓋同士が深くスタックしてしまうのを防止するようにしているため、スカート部の位置を浅めに設置しており、容器蓋同士が積み重ねられた状態で輸送する場合、輸送による振動に対して荷崩れが発生しやすく積み重ねに際する安定性には劣る。また、特許文献５に記載の容器の蓋体についても、特許文献４に記載の容器蓋と同様に段差部の位置が浅めに設置してあるため、輸送による振動に対して荷崩れが発生しやすく積み重ねに際する安定性には劣る。尚、ここでいうスタックとは、容器蓋を上方に順次積み重ねていったときに容器蓋と上方の容器蓋が積み重なる容器蓋の重みにより嵌着してしまい、１枚つづ確実に取り出しができないことを言う。
【００１４】
更に、特許文献６及び特許文献７に記載のオーバーキャップでは、オーバーキャップ同士が積み重なる位置は、円板部分の円周に設置されたスカート部の上部に上方のオーバーキャップのスカート部の下部がのりあがるため、輸送による振動に対して荷崩れが発生しやすく積み重ねに際する安定性には劣る。
【００１５】
また、引用文献８記載の容器の蓋では、半径方向内側に突出するノブ(ｋｎｏｂ  ３３)が形成されており、容器の蓋同士が重なり合ったときに、上位の前記ノブ(ｋｎｏｂ  ３３)が、下位の蓋体のカバー（ｃｏｖｅｒ  ７）外周からスカート（ｓｋｉｒｔ  ６）部分に至るコーナー付近で前記ノブ(ｋｎｏｂ  ３３)の下端は円周状の線で接するため、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない構造である。仮にノブ(ｋｎｏｂ  ３３)を形成する位置をラグ（ｌｕｇ  ３０）が形成された位置に設置しても、ノブ(ｋｎｏｂ  ３３)が接する位置は、同じように円周状の線で接することには変わりなく、容器の蓋同士の積み重ねによる重みで、スカート部は外へ開こうという力が働き容器の蓋同士が嵌合しあい、奥へくいこみ固着されてしまうので、１枚づつ確実に容器の蓋を取り出すことはできない。また、ノブ(ｋｎｏｂ  ３３)は円周状の線で接しているので、積み重ねによるバランスはとりづらく安定性には劣り、容器の蓋を順次積み重ねていくと傾いて崩れるので、十数枚〜百枚単位での積み重ねをすることは困難である。
【００１６】
本発明の目的は、上記課題を解決し、複数個の容器の蓋を上方に順に積み重ねした際に荷崩れが発生するか否かの状態、即ちスタック性を安定させ、スタックした容器の蓋が密着するのを防止し上方に順に１個づつ確実に取り出すことができる容器の蓋を提供すると共に、容器の開口部へ嵌め込みしやすい容器の蓋を提供することである。
【課題を解決するための手段】
【００１７】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、断面視において、スタックリブ部の水平な下端と垂線を結ぶスタックリブ部のＲ部の頂点（ｚ）と厚肉部のＲ部の頂点（ｙ）の両方に接する線と、前記厚肉部のＲ部の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋である。
【００１８】
本発明は、複数の容器の蓋同士が上方に積み重ねられたときに、前記スタックリブ部の下端面が下方の容器の蓋の天板部の水平部に当接するとともに、前記スタックリブ部が設置されていない箇所の前記厚肉部と下方の容器の蓋の前記天板部の間に隙間ができる容器の蓋である。
【００１９】
本発明は、複数の容器の蓋同士が上方に積み重ねられたときに、容器の蓋の側壁部と、下方の容器の蓋の側壁部との間に０．１ｍｍから０．３ｍｍの第二隙間ができる容器の蓋である。
【発明の効果】
【００２０】
本発明は、円板状の天板部と、前記天板部の外周から下端へ延出し、前記天板部の外径よりも大きな内径をもつ円筒状の側壁部とを有する合成樹脂材でできた容器の蓋であって、前記容器の蓋は射出成形法により厚肉部以外は０．７ｍｍ以下の肉厚となる薄肉で形成し、前記側壁部の中間部分に内側に突出する厚肉部を設けて前記厚肉部と天板部との間に凹所を形成するとともに、前記厚肉部には前記天板部と反対位置方向に突出した複数のスタックリブ部を設けて、断面視において、スタックリブ部の水平な下端と垂線を結ぶスタックリブ部のＲ部の頂点（ｚ）と厚肉部のＲ部の頂点（ｙ）の両方に接する線と、前記厚肉部のＲ部の頂点（ｙ）を起点とした垂線とが交差する勾配角度（ｂ）は２５度から４５度であり、かつ、前記スタックリブ部は垂直方向の高さ（ｃ）が０．３ｍｍから０．８ｍｍであることを特徴とする容器の蓋であるので、０．７ｍｍ以下の肉厚寸法にすることで真空成形法に近い肉厚寸法で外観形状にバリエーションを持たせた高級感のある形状を射出成形法で形成することができる。また、肉厚寸法が薄肉になれば単量を少なくすることができるので原料コストを削減することができる上、断面視において、スタックリブ部の水平な下端と垂線を結ぶスタックリブ部のＲ部の頂点（ｚ）と厚肉部のＲ部の頂点（ｙ）の両方に接する線と、前記厚肉部のＲ部の頂点（ｙ）を起点とした垂線とが交差する勾配角度（ｂ）は２５度から４５度であり、前記スタックリブ部は垂直方向の高さ（ｃ）が０．３ｍｍから０．８ｍｍであることで、本発明である容器の蓋を容器の開口部へ装着したときに前記スタックリブ部は容器本体嵌合部へのガイドの役目を果たし、前記容器の蓋を容器の開口部へ嵌め込みしやすい容器の蓋である。
【００２１】
また、本発明の容器の蓋は、複数の容器の蓋同士が上方に積み重ねられたときに、前記スタックリブ部の下端面が下方の容器の蓋の天板部の水平部に当接し、前記スタックリブ部が設置されていない箇所の前記厚肉部と下方の容器の蓋の前記天板部の間に隙間ができる容器の蓋であるので、容器の蓋のスタックリブ部の水平な下端面が天板部の水平部に当接できる形状になるので、容器の蓋同士の積み重ねの安定性が非常に高い容器の蓋である。更に、前記厚肉部と下方の容器の蓋の前記天板部の間に隙間が一定にできることで、この隙間から空気の出入りがなされ、積み重なり合う容器の蓋同士の減圧や静電気の滞留を防止することができるので、容器の蓋同士の密着を防ぎ、スタック後の容器の蓋を上から順に１個づつ確実に取り出すことができる容器の蓋である。尚、本発明である容器の蓋のスタック性の意味は、容器の蓋を上方に順次積み重ねていったときに崩れることなく数十枚から百枚単位で安定的に上方へ積み重ねができ、かつ、容器の蓋を１枚つづ確実に取り出しができることである。
【００２２】
更に、本発明の容器の蓋は、複数の容器の蓋同士が上方に積み重ねられたときに、容器の蓋の側壁部と、下方の容器の蓋の側壁部との間に０．１ｍｍから０．３ｍｍの第二隙間ができる容器の蓋であるので、薄肉形状により柔軟性がある容器の蓋を積み重ねて運搬する場合に、隣り合う容器の蓋同士が衝突しあっても、容器の蓋同士の側壁部の重なり合うところは０．１ｍｍから０．３ｍｍのスペースしかあかないため２重の壁が形成されることになるので、スタック時の剛性が大きくなり外部からの衝撃に強く変形などが発生しにくい容器の蓋である。また、前記スタックリブ部の垂直方向の高さが０．３ｍｍから０．８ｍｍを形成することで、前記スタックリブ部が設置されていない箇所の前記厚肉部と前記天板部の間に隙間を設けて、容器の蓋同士の側壁部の重なり合うところが０．１ｍｍから０．３ｍｍの隙間を設けることで、この隙間から空気の出入りがなされ、積み重なり合う容器の蓋Ａ同士の減圧や静電気の滞留を防ぎ、上から順に１個づつ確実に容器の蓋Ａを取り出すことができる。
【発明を実施するための最良の形態】
【００２３】
図１乃至図５において、本発明の容器の蓋Ａは射出成形法により０．７ｍｍ以下の肉厚寸法aによる薄肉形状にて形成し、前記容器の蓋Ａは円筒状で、ポリプロピレンやポリエチレンなどの合成樹脂材でできており、円筒状の容器本体Ｂの開口部分に設置するものである。前記容器の蓋Ａの上面には円板状の天板部５と、前記天板部５の外周から下端へ延出し、前記天板部５の外径Ｐよりも大きな内径Ｑをもつ円筒状の側壁部４とを有する。前記側壁部の内面３の中間部分全周に内側に突出したＶ形状などからなる厚肉部２と前記厚肉部２と天板部５との間に凹所６を形成することで、容器本体Ｂの開口部分に容器の蓋Ａを設置した場合、容器本体嵌合部Ｂ１は前記厚肉部２を乗り越えて前記凹所６と嵌合される。
【００２４】
前記厚肉部２には前記天板部５と反対位置方向に突出したスタックリブ部１を８個から１２個以上設けて、複数の容器の蓋Ａが上方に順に積み重ねられた場合、前記スタックリブ部１の水平な下端面が前記天板部５の平面部に当接するので、容器の蓋Ａ同士の積み重ねの安定性が非常に高く、数十枚から１００枚単位での積み重ねにも効果を発揮するものである。
【００２５】
更に、容器の蓋Ａ同士が積み重ねられた場合に、例えば、容器の蓋Ａにスタックリブ部１を設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８個から１２個以上のスタックリブ部１を均一に設置し、前記スタックリブ部１が設置されていない箇所の厚肉部２と前記天板部５の間に隙間が発生するので、前記隙間から空気の出入りがなされ、積み重なり合う容器の蓋Ａ同士の減圧や静電気の滞留を防ぎ、上から順に１個づつ確実に容器の蓋Ａを取り出すことができる。
【００２６】
また、本発明の容器の蓋Ａは薄肉形状であるため材料代のコスト低減を行うことができるが、図１及び図３に示すとおり薄肉形状であっても、前記厚肉部２は前記壁面部の内面３の全周を補強する役目を果たし、更に、前記スタックリブ部１は前記厚肉部２を補強する役目を果たしているので、成形後の冷却で発生するそりや歪みなどの変形や、着脱の繰り返しによるそりや歪みなどの変形が起こらない容器の蓋Ａを提供することができる。
【００２７】
次に、本発明の容器の蓋Ａを嵌合相手である容器本体Ｂへ嵌合させた状態を図４に示す。例えば可撓性のある紙材やポリプロピレン、ポリエチレンなどの合成樹脂材を用いて前記容器本体Ｂを成形することで、ポリプロピレンやポリエチレンなどの合成樹脂材で成形した本発明の容器の蓋Ａの伸縮性と、前記容器本体Ｂとの伸縮性並びに可撓性の作用が併用されことで、容器の蓋Ａの着脱が更に自在となる。また、被注出物の漏れ防止や品質保持をさせるためにアルミシート材や樹脂シート材などの密封シールを容器本体Ｂの開口部分に施した場合でも、容器の蓋Ａの着脱は自在に行うことができる。更に、前記天板部５の形状は図２および図３に示すように中央に凹んだ平面部があるので、前記天板部５の中央部および周辺の全面に模様や写真などが加飾されたラベルをインモールド成形などで貼着させることができるので、意匠性や装飾性に優れた容器の蓋Ａを提供することができる。
【００２８】
図５においては、本発明の容器の蓋Ａ同士を積み重ねていくスタックした状態を示す。複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる上、保管スペースの省スペース化が図れ、保管ならびに輸送などのコスト低減できる。また、積み重ねてスタックすることによる荷崩れなどで発生する商品破損などの不良も発生しない。
【００２９】
図６は、スタックリブ部１ａの異なる実施形態例を示す。図６に示すとおり、容器の蓋Ａの肉厚寸法ａが０．７ｍｍ以下の薄肉形状を有する容器の蓋Ａであって、前記スタックリブ部１ａは厚肉部２との接線の勾配角度ｂが２５度から４５度とし、かつ、前記スタックリブ部１ａは垂直方向の高さｃが０．３ｍｍから０．８ｍｍを形成したスタックリブ部１ａを形成することで、０．７ｍｍ以下の肉厚寸法ａにすることで真空成形法に近い肉厚寸法ａで外観形状にバリエーションを持たせた高級感のある形状を射出成形法により形成することができる。更に、肉厚寸法ａが薄肉になれば単量を少なくすることができるので原料コストを削減することができる上、前記勾配角度ｂが２５度から４５度であり、前記スタックリブ部１ａは垂直方向の高さｃが０．３ｍｍから０．８ｍｍを形成することで、本発明である容器の蓋Ａを容器Ｂの開口部へ装着したときに前記スタックリブ部１ａは容器本体嵌合部Ｂ１へのガイドの役目を果たし、前記容器の蓋Ａを容器Ｂの開口部へ嵌め込みしやすい容器の蓋Ａである。また、前記スタックリブ部１ａの水平な下端面が天板部５の水平部に当接できる形状になるので、容器の蓋Ａ同士の積み重ねの安定性が非常に高く、数十枚から１００枚単位での積み重ねができる容器の蓋Ａである。ここでいう接線とは、
断面視において、スタックリブ部１ａの水平な下端と垂線を結ぶスタックリブ部１ａのＲ部の頂点ｚと厚肉部２のＲ部の頂点ｙの両方に接する線のことをいい、また、勾配角度ｂとは、前記接線と前記厚肉部２のＲ部の頂点ｙを起点とした垂線とが交差する角度のことをいう。
【００３０】
図７においては、本発明の容器の蓋Ａ同士を積み重ねていくスタックした状態をスタックリブ部１ａの異なる実施形態を例とした場合で示す。容器の蓋Ａの上に同方向の容器の蓋Ａを積み重ねていくと、前記容器の蓋Ａの天板部５の周縁付近に上方に設置された容器の蓋Ａのスタックリブ部１ａの水平な下端面が前記天板部５の水平部に当接するので、容器の蓋Ａ同士の積み重ねの安定性が非常に高く、数十枚から１００枚単位での積み重ねにも効果を発揮するものである。また、スタックリブ部１ａの設置数については、前記天板部５と反対位置方向に突出したスタックリブ部１ａを８個から１２個以上に均一に設けることで、より積み重ねを安定させることができる。
【００３１】
更に、複数の容器の蓋Ａ同士が上方に積み重ねられ容器の蓋Ａのセンター同士が重なったときに、容器の蓋Ａの側壁部の内面３と、下方の容器の蓋Ａの側壁部４との間に０．１ｍｍから０．３ｍｍの出来るだけ隙間を持たせない第二隙間ｄを形成させることで、薄肉形状により柔軟性がある容器の蓋Ａを積み重ねて運搬する場合に、隣り合う容器の蓋Ａ同士が衝突しあっても、容器の蓋Ａ同士の側壁部４の重なり合うところは２重の壁が形成されるので、スタック時の剛性が大きくなり外部からの衝撃に強く変形などが発生しにくい容器の蓋Ａを提供することができる。
【００３２】
また、仮に積み重ねによるセンター位置がづれたとしても、下方の容器の蓋Ａの側壁部４との間に０．１ｍｍから０．３ｍｍの出来るだけ隙間を持たせない第二隙間ｄを形成させることで、設置されているスタックリブ部１ａのほとんどが、前記スタックリブ部１ａの水平な下端面が前記天板部５の水平部に当接するので、容器の蓋Ａ同士の積み重ねの安定性が非常に高く、数十枚から１００枚単位での積み重ねにも効果を発揮し、保管スペースの省スペース化が図れ、保管ならびに輸送などのコスト低減できる。更に、積み重ねてスタックすることによる荷崩れなどで発生する商品破損などの不良も発生しない。
【００３３】
また、容器の蓋Ａ同士が積み重ねられた場合に、例えば、容器の蓋Ａにスタックリブ部１ａを設けていなければ、薄肉形状により柔軟性がある容器の蓋Ａは、上から押された圧力で容器の蓋Ａと下方の容器の蓋Ａが重なりあっている空間に外からの空気を取り入れることができず減圧状態となったり、輸送時による振動などの摩擦により静電気が発生したりし、容器の蓋Ａ同士がくっついてしまう現象が発生してしまうが、本発明である容器の蓋Ａは、少なくとも８から１２個以上のスタックリブ部１ａを均一に設置し、前記スタックリブ部１ａの垂直方向の高さｃが０．３ｍｍから０．８ｍｍを形成することで、前記スタックリブ部１ａが設置されていない箇所の前記厚肉部２と前記天板部５の間に隙間を設けて、容器の蓋Ａ同士の側壁部４の重なり合うところが０．１ｍｍから０．３ｍｍの隙間を設けることで、前記隙間から空気の出入りがなされ、積み重なり合う容器の蓋Ａ同士の減圧や静電気の滞留を防ぎ、上から順に１個づつ確実に容器の蓋Ａを取り出すことができる。
【図面の簡単な説明】
【００３４】
【図１】本発明の実施形態である容器の蓋を示す斜視図である。
【図２】同実施形態の平面図である。
【図３】同実施形態の断面図である。
【図４】同実施形態の容器の蓋を容器本体に嵌合させた断面図である。
【図５】同実施形態の容器の蓋を積み重ねてスタックする断面図である。
【図６】本発明の異なる実施形態を示すスタックリブ部周辺の断面図である。
【図７】図６の容器の蓋を積み重ねてスタックする断面図である。
【符号の説明】
【００３５】
１        スタックリブ部
１ａ      スタックリブ部
２        厚肉部
３        側壁部の内面
４        側壁部
５        天板部      
６        凹所
Ａ        容器の蓋
Ｂ        容器本体
Ｂ１      容器本体嵌合部
Ｐ        外径
Ｑ        内径
ａ        肉厚寸法
ｂ        勾配角度
ｃ        垂直方向の高さ
ｄ        第二隙間
ｙ        厚肉部のＲ部の頂点
ｚ        スタックリブ部のＲ部の頂点